(57)【特許請求の範囲】
【請求項１】
蛍光管の長さ方向において該蛍光管の動きに応じて可動とされた可動ハウジングと、
前記可動ハウジングを前記長さ方向にフローティング可能に支持する固定ハウジングと、
前記可動ハウジングに取り付けられて前記蛍光管から延びるリード線を端子に固定する取付部材と、を備え、
前記可動ハウジングは、当該可動ハウジングの前記固定ハウジングに対するフローティングを防止する第１ロック手段を有し、
前記固定ハウジングは、前記第１ロック手段と協働して、前記可動ハウジングの前記固定ハウジングに対するフローティングを防止する第２ロック手段を有し、
前記取付部材は、前記リード線を前記端子に固定する際、前記第１ロック手段と前記第２ロック手段の間のロック状態を解除するロック解除手段を有することを特徴とする蛍光管用コネクタ装置。
【請求項２】
前記第１ロック手段は、前記固定ハウジング側に開いたロック孔であり、前記第２ロック手段は、前記可動ハウジング側に突出したロック突出部であり、前記ロック解除手段は、前記ロック孔に嵌められた前記ロック突出部を前記ロック孔から押し出す突出部である請求項１に記載の装置。
【請求項３】
前記可動ハウジングのロック孔と前記固定ハウジングのロック突出部は、前記フローティングの方向と交差する方向に沿って形成されている請求項２に記載の装置。
【請求項４】
前記固定ハウジングのロック突出部は、前記固定ハウジングの一部である、前記フローティングの方向に延びる自由端形成部の端部に設けられている請求項３に記載の装置。
【請求項５】
前記自由端形成部の端部に、前記可動ハウジング側に突出して設けられ、前記可動ハウジングと接触して、前記可動ハウジングを前記固定ハウジングから引き離す方向に力を与える付勢部材が設けられている請求項４に記載の装置。
【請求項６】
前記付勢部材は、前記自由端形成部において、前記ロック突出部の対向側に設けられている請求項５に記載の装置。
【発明の詳細な説明】
【技術分野】
【０００１】
本発明は、蛍光管用コネクタ装置、特に、フローティング制御機構を備えた蛍光管用コネクタ装置に関する。
【背景技術】
【０００２】
テレビジョン受像機のような液晶表示装置（液晶ディスプレイ）のバックライト光源として、熱陰極管（ＨＣＦＬ）や冷陰極管（ＣＣＦＬ）のような蛍光管（線状光源）が広く利用されている。これらの蛍光管は両端にリード線（導線）を有し、各リード線は蛍光管用コネクタ装置を介してバックライト背面板などの基板に支持される。
【０００３】
図１０、１１に、特開２００５−２５９３７０号公報に開示された従来の蛍光管用コネクタ装置２０１の一例を示す。図１０は、この従来例に開示された蛍光管用コネクタ装置２０１の一部を縦断面図で示したもの、図１１は、図１０に示す基板２０２と端子２０７のみを示す斜視図である。この蛍光管用コネクタ装置２０１は、蛍光管２０３を支持し、或いは、蛍光管２０３に電源を供給する働きを有し、主に、端子２０７と、ハウジング２０４、更に、これら端子２０７とハウジング２０４に対して回動可能なアクチュエータ２０５から成る。端子２０７は、蛍光管２０３の導線２１８を挟持する接点部２１０を有し、この接点部２１０は、アクチュエータ２０５の開閉動作に連動して導線２１８を導入可能な開状態と、導線２１８を挟持する閉状態を採ることができるようになっている。
【０００４】
【特許文献１】特開２００５−２５９３７０号公報
【発明の開示】
【発明が解決しようとする課題】
【０００５】
例えば、バックライト使用時に、蛍光管は、自身から発せられる熱等の影響によってその長さ方向に延びるリード線に沿って伸縮し得る。導線の被挟持部には、このような伸縮に伴う応力が加わりやすく、例えば、導線２１８を挟持する接点部２１０と導線２１８との衝突等によって、導線２１８が切断されてしまう危険がある。この問題を解決するため、蛍光管の熱伸縮に応答して、蛍光管用コネクタ装置の一部をフローティングさせることも考えられるが、フローティング構造を採用すると、蛍光管の取付時においてもフローティングが発生し、この結果、蛍光管の取付が不安定、困難になるおそれがあった。
【０００６】
本願発明は、このような従来技術における問題点を解決するためになされたものであり、蛍光管の取付時には、フローティングを規制して、蛍光管の取付を安定、容易化し、一方、蛍光管の取付後には、フローティングを可能として、蛍光管の熱伸縮に対応できる、簡易構造のフローティング（変位）制御機構を備えた蛍光管用コネクタ装置を提供することを目的とする。
【課題を解決するための手段】
【０００７】
本発明の一つの態様によれば、蛍光管の長さ方向において該蛍光管の動きに応じて可動とされた可動ハウジングと、前記可動ハウジングを前記長さ方向にフローティング可能に支持する固定ハウジングと、前記可動ハウジングに取り付けられて前記蛍光管から延びるリード線を端子に固定する取付部材と、を備え、前記可動ハウジングは、当該可動ハウジングの前記固定ハウジングに対するフローティングを防止する第１ロック手段を有し、前記固定ハウジングは、前記第１ロック手段と協働して、前記可動ハウジングの前記固定ハウジングに対するフローティングを防止する第２ロック手段を有し、前記取付部材は、前記リード線を前記端子に固定する際、前記第１ロック手段と前記第２ロック手段の間のロック状態を解除するロック解除手段を有することを特徴とする蛍光管用コネクタ装置が提供される。
【０００８】
上記装置において、前記第１ロック手段は、前記固定ハウジング側に開いたロック孔であり、前記第２ロック手段は、前記可動ハウジング側に突出したロック突出部であり、前記ロック解除手段は、前記ロック孔に嵌められた前記ロック突出部を前記ロック孔から押し出す突出部であってもよい。
【０００９】
また、上記装置において、前記可動ハウジングのロック孔と前記固定ハウジングのロック突出部は、前記フローティングの方向と交差する方向に沿って形成されていてもよい。
【００１０】
更に、上記装置において、前記固定ハウジングのロック突出部は、前記固定ハウジングの一部である、前記フローティングの方向に延びる自由端形成部の端部に設けられていてもよい。
【００１１】
また、上記装置において、前記自由端形成部の端部に、前記可動ハウジング側に突出して設けられ、前記可動ハウジングと接触して、前記可動ハウジングを前記固定ハウジングから引き離す方向に力を与える付勢部材が設けられていてもよい。また、前記付勢部材は、前記自由端形成部において、前記ロック突出部の対向側に設けられていてもよい。
【発明を実施するための最良の形態】
【００１２】
以下、添付図面を参照しつつ、本発明の好適な一実施形態によるフローティング制御機構を備えた蛍光管用コネクタ装置の一例を説明する。
【００１３】
図１は、本発明による蛍光管用コネクタ装置１の斜視図、図２は、装置１の使用状態の一例を示す斜視図、図３、図４は、蛍光管２の取付工程の一部を示す斜視図である。
【００１４】
装置１は、全体として略左右対称形状を成す。この装置１は、主に、蛍光管２（図２に示されている）の長さ方向（図示矢印「ア」方向）において蛍光管２の動きに応じて可動とされた可動ハウジング４０と、可動ハウジング４０を蛍光管２の長さ方向にフローティング可能に支持する固定ハウジング７０と、可動ハウジング４０に対してフローティング方向（図示矢印「ア」方向）と交差する方向（図示矢印「イ」方向）に、例えば、上下方向に、スライド可能な状態で取り付けられた蓋部材（取付部材）２０と、可動ハウジング４０と固定ハウジング７０に一部露出状態で配置され、蛍光管２から長さ方向に延びる２本のリード線５Ａ、５Ｂ（図４に点線で示されている）と電気的に接続される端子９０から成る。
【００１５】
装置１を使用することにより、例えば、図２に示すように、所定長さを有する蛍光管２の一方の側を、バックライト背面板３の一方の板面側において、バックライト背面板３から離間させた状態で配置するとともに、この装置１を通じて、バックライト背面板３のもう一方の板面側に取り付けたインバータ基板４から蛍光管２へ信号を伝達させ、或いは、そこへ電気を供給することができる。使用時において、装置１は、その固定ハウジング７０の一部をバックライト背面板３の各穴１１に挿入される。装置１を穴１１に固定するため、固定ハウジング７０の本体８６の左右の各側壁には、それぞれ、基板取付片８４が２つずつ設けてある。固定ハウジング７０を穴１１に貫通させた際、バックライト背面板３が、その厚み方向において、基板取付片８４の各上面に設けた保持面８５と、固定ハウジング７０の上部に設けたベース部８０の底面８１との間に、所定の力で挟み込まれ、この結果、固定ハウジング７０は各穴１１に固定され得る。尚、図面簡略化のため、図３には、蛍光管２や装置１を１つしか示していないが、実際の使用の際には、蛍光管２の長さ方向（図示矢印「ア」方向）において、蛍光管２の各端部に蛍光管用コネクタ装置１がそれぞれ配置され、また、これら蛍光管２と各端部に設けた２つの蛍光管用コネクタ装置を１つの組みとして、それらの組みが複数並列に配列されていると考えてよい。これにより、どのような大きさの大画面テレビ等のバックライトをもサポートすることができる。
【００１６】
穴１１に装置１を固定した後、装置１にインバータ基板４を取り付ける。インバータ基板４は、一方の側縁に設けた各突出部１２を、固定ハウジング７０の底部前側に設けた各基板挿入孔７１に一括挿入することによって取り付けることができる。各基板挿入孔７１に各突出部１２を挿入することにより、基板挿入孔７１内に露出状態で設けた端子９０の一部（接触片１３１）を、インバータ基板４と接触させて、それらを電気的に接続できる。
【００１７】
蛍光管２のリード線５は、蓋部材２０に設けた空間２８を通じて可動ハウジング４０に設置される。可動ハウジング４０は、図示矢印「ア」方向において、端子９０の取付に対応して設けた挿入空間５３Ａ、５３Ｂを有する。これらの各挿入空間５３Ａ、５３Ｂには、端子９０の一部（固定片９２と可動片９４）によって形成された隙間が形成されている。これら隙間は、蓋部材２０を図示矢印「イ１」方向にスライドさせたときに、蓋部材２０の一部（干渉面２７）と端子９０の一部（可動片９４）との接触を通じて狭まる。よって、各リード線５Ａ、５Ｂを、各挿入空間５３Ａ、５３Ｂに沿って、これらの隙間にそれぞれ挿入し、蓋部材２０を図示矢印「イ１」方向にスライドさせることにより、リード線５Ａ、５Ｂを、端子９０に固定することができる。換言すれば、蓋部材２０を上位置、つまり、図３に示す「開」状態から、下位置、つまり、図４に示す「閉」状態とすることにより、リード線５Ａ、５Ｂを可動ハウジング４０に対して簡易な方法で固定できる。逆に、蓋部材２０を図示矢印「イ２」方向にスライドさせることにより、リード線５Ａ、５Ｂは、可動ハウジング４０から取り外すこともできる。
【００１８】
可動ハウジング４０は固定ハウジング７０に対してフローティング可能であるが、蓋部材２０が図３に示す「開」状態にあるときは、そのフローティングは規制される。一方、蓋部材２０が図４に示す「閉」状態にあるときは、この規制は解除され、可動ハウジング４０は固定ハウジング７０に対してフローティング可能となる。この働きにより、蛍光管２の取付時には、フローティングを規制して蛍光管の取付を安定、容易化し、蛍光管の取付後には、フローティングを可能として蛍光管２の熱伸縮に対応できる。
【００１９】
図５に示す装置１の分解斜視図を参照しつつ、各部品の構成をより詳細に説明する。固定ハウジング７０は、主に、立方形状の本体８６と、この本体８６の上部に形成されたフランジ状のベース部８０から成る。ベース部８０は中心付近に穴７６を有し、全体として略ロ字状の平板である。本体８６の内部には空間７２が形成されてており、端子９０の上部を穴７６から突出させた状態で設置できるようになっている。穴７６から突出した端子９０の一部は、実質的に可動ハウジング４０に収容される。空間７２には更に、可動ハウジング４０の底面４１から突出した案内部５１が挿入される。このように、可動ハウジング４０の一部である案内部５１が空間７２に挿入されることで、「ア」方向における空間７２の長さと案内部５１の長さとの差によって固定ハウジング７０に対する可動ハウジング４０のフローティング量（変位量）を所定量に調整することができ、また、固定ハウジング７０への取付後は、上方向に移動されない限り、可動ハウジング４０が固定ハウジング７０から外れてしまうことはない。
【００２０】
可動ハウジング４０の左右の運動を規制し、且つ、可動ハウジング４０をスライド可能に支持するため、ベース部８０上部の左右各側に、一対の側壁７３が設けてある。これらの各側壁７３は、可動ハウジング４０のフローティング方向（図示矢印「ア」方向）に沿って延びており、可動ハウジング４０の一部（ベース部４２）を左右各側から挟み込むように支持する。側壁７３の上縁部には、フローティング方向に沿って、可動ハウジング４０の保持側に延出されたスライド係止片７４が形成されており、この結果、可動ハウジング４０の上方向からの抜け落ちは防止される。
【００２１】
可動ハウジング４０の底面４１を支持するため、ベース部８０に設けた穴７６の縁７５が、可動ハウジング４０側に突出した枠体として形成されている。更に、ベース部８０上の、側壁７３の内側に、フローティング方向（図示矢印「ア」方向）に沿って、略中心付近（図６に示す「８３」）においてシーソー状に支持された自由端形成部７７が設けてある。可動ハウジング４０は、これら自由端形成部７７と枠体７５上に、フローティング可能な状態で支持される。蛍光管の取付時における可動ハウジング４０のフローティングを規制するため、自由端形成部７７の一端、例えば、後端に、可動ハウジング４０のフローティング方向（図示矢印「ア」方向）と交差する方向（図示矢印「イ」方向）に沿って、可動ハウジング４０側に突出したロック突出部７９が設けてある。これらロック突出部７９は、可動ハウジング４０側の対応部材（図６乃至図８に示す「ロック孔６０」）と協働して、可動ハウジング４０の固定ハウジング７０に対するフローティングを制御する。一方、自由端形成部７７上の他端、例えば、ロック突出部７９の対向側である前端には、可動ハウジング４０側に突出し、可動ハウジング４０の底面４１と接触して、可動ハウジング４０を固定ハウジング７０から引き離す方向（ここでは上方）に常時付勢する付勢部材７８が設けてある。このような方向に力を加えることにより、可動ハウジング４０を固定ハウジング７０のスライド係止片７４に押し付けて、フローティング部材である可動ハウジング４０とコネクタ本体を密着させて、それらの間の隙間をなくし、ガタつきによる音の発生を抑制できる。
【００２２】
蓋部材２０は、可動ハウジング４０に蓋をするともに、リード線５を端子９０に固定する。蓋部材２０は、前面、上面、底面で開放され、左右側壁２２と背面２１によって閉じた略箱状体である。上面及び底面を開放することにより、空間２８を形成する。空間２８を設けることにより、蓋部材２０を閉状態としたときの、蓋部材２０と可動ハウジング４０の所定部分（可動片支持部５４）の衝突を避けることができ、また、リード線５を可動ハウジング４０に容易に取付けることができる。
【００２３】
蓋部材２０は可動ハウジング４０にスライド可能に取り付ける。蓋部材２０を可動ハウジング４０に対して係止するため、各側壁２２の外面中央付近に、比較的小さな長さ部分を有する抜止部材２４が、更に、蓋部材２０を可動ハウジング４０の上位置若しくは下位置に保持し蓋部材２０の「開」状態と「閉」状態を維持するため、抜止部材２４の左右各側に、比較的大きな長さ部分を有する保持部材２３が、更にまた、蓋部材２０の「閉」状態を維持するため、各側壁２２の前側外面に外突出部２５が、それぞれ形成されている。尚、保持部材２３の下端位置は、抜止部材２４と略同じ高さに設定してある。
【００２４】
各側壁２２の背面側の底部には、それぞれ、可動ハウジング４０のフローティングの規制を解除するためのロック解除部材３５が設けてある。ロック解除部材３５は、突出部として形成されており、蓋部材２０を開状態から閉状態としてリード線５を端子９０に固定する際に、可動ハウジング４０側の対応部材（図６乃至図８に示す「ロック孔６０」）に嵌められた固定ハウジング７０のロック突出部７９をこの孔６０から押し出すことができる。
【００２５】
ロック解除部材３５の内側に設けられているのは、端子９０の可動片９４を案内する案内面３０である。図面には現れていないが、これら案内面３０の前側には可動ハウジング４０の案内部材６１を収容することができる収容空間も形成されている。更に、各側壁２２の前面側の底部は、蓋部材２０が閉状態にされているときに、可動ハウジング４０の対応部分（台４５の衝突面４６）と衝突し得る対応衝突面２６を形成している。尚、蓋部材２０の開操作を容易にするため、各側壁２２の上面に、側面１１の上部対向側に外側に張り出す引っ掛け部１７を設けてもよい。これらの引っ掛け部１７に手の爪を引っ掛ける等して蓋部材２０の開閉操作を容易にできる。
【００２６】
端子９０は、互いに対称形状の２つ（端子９０Ａ、９０Ｂ）の組から成る。これら２つの端子９０Ａ、９０Ｂは、それぞれ、１枚の金属板を打ち抜き、折り曲げることによって形成されており、また、互いに離間され、電気的、物理的に、何ら接続されていない。これらは、それぞれが別々の信号又は電源を伝達するために使用され、この意味で、装置１は、いわゆる２極タイプのコネクタ装置ということができる。勿論、端子を１つとして、或いは、端子９０Ａと９０Ｂを互いに接続するようにして１極タイプとしてもよい。
【００２７】
端子９０は、上から順に、固定片９２と可動片９４から成るリード支持固定部９１と、下端部９５、伸縮吸収部１１０、固定ハウジング７０への固定部（図示せず）、基板接触部１３０を含む。これらのうち、リード支持固定部９１のみ、固定ハウジング７０の外部、更に言えば、可動ハウジング４０に支持され、下端部９５より下側の部分は、固定ハウジング７０の空間７２に配置される。端子９０は、その一部のみが可動ハウジング４０や固定ハウジング７０から露出された状態で収容される。
【００２８】
基板接触部１３０は、固定ハウジング７０の基板挿入口７１に露出状態で配置され、インバータ基板４を端子９０に接続するために使用される。基板接触部１３０の先端付近には、内方に向かって軽く折り曲げることによって接触片１３１が形成されており、インバータ基板４の所定部分（図２の突出部１２）を所定の力で支持できるようになっている。固定ハウジング７０の下部に設けた基板挿入口７１からインバータ基板４が挿入されたとき、接触片１３１はインバータ基板４の所定部分と接触することによって変位し、所定の力でインバータ基板４に接触し得る。
【００２９】
リード支持固定部９１を構成する固定片９２と可動片９４は、蓋部材２０と協働して、蛍光管２のリード線５を支持、固定する。これらは下端部９５で互いに接続されているが、固定片９２は、可動ハウジング４０の所定位置（固定片支持部５６に設けた固定片固定溝５７）に埋め込むことにより固定して使用され、可動片９４は、可動ハウジング４０の所定位置（可動片支持部５４の中間位置に設けた可動片挿入空間５５）に挿入して使用される。特に、可動片９４は、フローティング方向（図示矢印「ア」方向）と直交する左右方向において、可動片挿入空間５５に可動状態で設けてある。可動片９４は、フローティング方向（図示矢印「ア」方向）に沿って、固定片９２Ａ（Ｂ）と固定片９２Ａ’（Ｂ’）との中間に位置付けられているため、これら固定片９２Ａ（Ｂ）、固定片９２Ａ’（Ｂ’）、可動片９４は、リード線５の軸方向に沿って千鳥状に対向配置されていることになる。この結果、リード線５は、これら固定片９２Ａ（Ｂ）、固定片９２Ａ’（Ｂ’）、可動片９４によって形成された谷部９９に、３つの部分による３つの支点で、平面的に安定して支持され得る。
【００３０】
可動片９４は、固定片９２側に立設させた立設部１０１と、この立設部１０１の上端付近においてリード線５から離れる側（外側）に折り返された上部折返部９６と、この上部折返部９６によって折り返された部分の中間付近においてリード線５側（内側）に折り返されて立設部１０１を介してリード線５と対向配置された中間折曲部９７と、更に、この中間折曲部９７によって折り曲げられた先端付近において再び外側に折り曲げられて、中間折曲部９７と同様に立設部１０１を介してリード線５と対向配置された先端折曲部９８から成る。特に、中間折曲部９７付近が、フローティング方向（図示矢印「ア」方向）において、可動片挿入空間５５から左右外側に多少突出した状態とされている点に注意していただきたい。これにより、蓋部材２０が「開」状態から「閉」状態にされているときに、中間折曲部９７の外部側面は、閉じられつつある蓋部材２０の干渉面２７によって挟み込まれるようにそこに衝突し、可動片９４は可動片挿入空間５５へ押し込まれてリード線５側に変位する。この変位作用によって、リード線５を支持する谷部９９の隙間は弾性的に狭められ、谷部９９に支持したリード線５はそこに挟持、固定される。
【００３１】
可動ハウジング４０は、主に、底側から案内部５１が突出した略平板状のベース部４２と、このベース部４２の上部に設けられ、端子９０を支持し且つ蓋部材２０のスライドを案内する台４５と、台４５の左右各側にて、固定ハウジング７０に対するフローティング方向（図示矢印「ア」方向）に沿って蓋部材２０側に延びた一対の側壁４７から成る。
【００３２】
側壁４７は、蓋部材２０を可動ハウジング４０にスライド可能に係止若しくは固定する。各側壁４７の内面中央付近には、蓋部材２０の抜止部材２４に対応して、上側に比較的小さな長さ部分を有する抜止溝６９が、下側に比較的大きな長さ部分を有する抜止穴４９が、互いに整列した状態で設けられており、更に、抜止穴４９の左右各側には、蓋部材２０の保持部材２３に対応して、上側に比較的小さな長さ部分を有する保持溝６８が、下側に比較的大きな長さ部分を有する保持穴４８が、互いに整列した状態で設けられており、更に、蓋部材２０の外突出部２５に対応して、各側壁２２の前側内面に凸部６４が、それぞれ形成されている。これらのうち、下側の保持穴４８と抜止穴４９は、側壁４７を貫通して設けられているが、上側の抜止溝６９や保持溝６８と同様に、溝として形成されてもよい。蓋部材２０を可動ハウジング４０の上位置に保持するため、換言すれば、蓋部材２０を「開」状態とするため、蓋部材２０の抜止部材２４は、凸部５８を乗り越えて下側の抜止穴４９に嵌まり、蓋部材２０の保持部材２３は、上側の保持溝６８に、それぞれ軽く係止され得る。蓋部材２０を下方に移動させたとき、つまり、蓋部材２０を「閉」状態としたときには、蓋部材２０の抜止部材２４は、抜止穴４９に沿って下方に移動し、蓋部材２０の保持部材２３は、凸部５９を乗り越えて下側の保持穴４８に嵌まり、蓋部材２０の外突出部２５は、可動ハウジング４０の凸部６４を乗り越えてその上面２９において凸部６４に接触する。これにより、蓋部材２０を可動ハウジング４０の下位置に保持して、蓋部材２０を「閉」状態とすることができる。
【００３３】
図６は、蓋部材２０が上位置、つまり、「開」状態であるときの、ロック解除手段３５付近における縦断面を示し、図７は、蓋部材２０が下位置、つまり、「閉」状態であるときの、ロック解除手段３５の縦断面を示す。更に、図８、図９は、蓋部材２０が「閉」状態にあり、フローティング可能とされているときに、可動ハウジング４０が最も蛍光管側（コネクタ前方側）に変位した位置にあるときの状態図、図９は、同様の状況下において、最も反蛍光管側（コネクタ後方側）に変位した位置にあるときの状態図である。
【００３４】
これらの図によく示されるように、可動ハウジング４０のベース部４２には、蓋部材２０のロック解除部材３５に対応して、ロック孔６０（第１ロック手段）が設けてある。ロック孔６０は、固定ハウジング７０側に開いている。図６より明らかなように、蓋部材２０が上位置にあるとき、つまり、蓋部材２０が開状態にあるとき、ロック孔６０には、固定ハウジング７０のロック突出部７９（第２ロック手段）が嵌まり込み、この結果、可動ハウジング４０の固定ハウジング７０に対するフローティングは規制される。一方、図７より明らかなように、蓋部材２０が下位置にあるとき、つまり、蓋部材２０を開状態から閉状態としたとき、蓋部材２０が垂直方向（図示矢印イ方向）に移動することで、蓋部材２０のロック解除部材３５がロック孔６０に入り込み、ロック孔６０に嵌まり込んでいた固定ハウジング７０のロック突出部７９がロック解除部材３５により押し出される。この結果、ロックは解除され、可動ハウジング４０のフローティングが可能となる。
この蓋部材２０が下位置にあるとき、ロック解除部材３５の下面３５ａ（図５、図６参照）は、可動ハウジング４０の底面４１と面一または下面３５ａが底面４１よりロック突出部７９側に僅かに突出するように構成されている。このような構成により、ロック解除部材３５の下面３５ａとロック突出部７９の上面７９ａ（図５、図６参照）とが互いに摺接面となり、可動ハウジング４０のフローティングがスムースに行われる。なお、本実施形態に示すようにロック解除部材３５の下面３５ａが可動ハウジング４０の底面４１よりロック突出部７９側に突出するように構成した場合には、可動ハウジング４０のフローティング時に、下面３５ａと上面７９ａとが常に摺接するようにそれぞれのフローティング方向における大きさを調整することが好ましい。
【００３５】
図８、図９に示すように、蓋部材２０が閉状態にあるときは、中心８３付近で支持された自由端形成部７７の付勢部材７８から、可動ハウジング４０を固定ハウジング７０から引き離す方向に力を受けつつ、ロック解除部材３５は、図８に示すように、コネクタ前方側に（図示矢印ア１方向に）、或いは、図９に示すように、コネクタ後方側に（図示矢印ア２方向に）、ロック突出部７９の上面を図示矢印「ア」方向に自由にスライドし得る。この動きによって、蛍光管の熱による伸縮が補償される。
【００３６】
尚、上の実施形態では、固定ハウジング７０の一部である、フローティングの方向に延びる自由端形成部７７の一端に、可動ハウジング４０側に突出して設けられて、可動ハウジング４０と接触して、可動ハウジング４０を固定ハウジング７０から引き離す方向に力を与える付勢部材７８を設けることとしたが、付勢部材は可動ハウジング又は固定ハウジングの一方に、他方の一部と衝突して可動ハウジング４０を固定ハウジング７０から引き離す方向に力を与えるものであれば足りる。よって、必ずしも付勢部材を固定ハウジングの一部として設ける必要はない。
【図面の簡単な説明】
【００３７】
【図１】本発明による蛍光管用コネクタ装置の斜視図である。
【図２】装置の使用状態の一例を示す斜視図である。
【図３】蛍光管の取付作業を示す斜視図である。
【図４】蛍光管の取付作業を示す斜視図である。
【図５】本装置の分解斜視図である。
【図６】蓋部材が開状態であるときの、ロック解除部材付近における縦断面図である。
【図７】蓋部材が閉状態であるときの、ロック解除部材付近における縦断面図である。
【図８】可動ハウジングのフローティング状態を示す図である。
【図９】可動ハウジングのフローティング状態を示す図である。
【図１０】従来例に示された蛍光管用コネクタ装置の一部を縦断面図で示す図である。
【図１１】図１０の基板と端子だけを示した斜視図である。
【符号の説明】
【００３８】
１  蛍光管用コネクタ装置
２０  蓋部材（取付部材）
３５  ロック解除部材
４０  可動ハウジング
５４  可動片支持部
５６  固定片支持部
６０  ロック孔
７０  固定ハウジング
７９  ロック突出部
９０  端子
９１  リード支持固定部
【図１】
0004489816.tif 000002
【図２】
0004489816.tif 000003
【図３】
0004489816.tif 000004
【図４】
0004489816.tif 000005
【図５】
0004489816.tif 000006
【図６】
0004489816.tif 000007
【図７】
0004489816.tif 000008
【図８】
0004489816.tif 000009
【図９】
0004489816.tif 000010
【図１０】
0004489816.tif 000011
【図１１】
0004489816.tif 000012